(57)【要約】【課題】冷蔵庫に保管する食材を適切に管理する。【解決手段】  冷蔵庫用遠隔制御装置２０は、制御部２１と、制御対象となる冷蔵庫１０に収納される各々の食材について起点日と食材画像データとを対応付けた食材データを記憶する記憶部２２と、冷蔵庫１０と通信する通信部２３と、情報の入出力を行う操作・表示部２４と、を備え、制御部２１は、冷蔵庫１０の状態を示す冷蔵庫情報画面が操作・表示部２４に表示されている際、操作・表示部２４において第１の所定操作が実行されると、食材管理画面を操作・表示部２４に表示させる食材管理部３２と、食材管理画面が操作・表示部２４に表示されている際、操作・表示部２４において第２の所定操作が実行されると、冷蔵庫情報画面を操作・表示部２４に表示させる冷蔵庫管理部３４と、を備える。【選択図】図１
2020118334.tif 000002
【特許請求の範囲】
【請求項１】
制御部と、制御対象となる冷蔵庫に収納される各々の食材について起点日と食材画像データとを対応付けた食材データを記憶する記憶部と、前記冷蔵庫と通信する通信部と、情報の入出力を行う操作・表示部と、を備え、
前記制御部は、
前記冷蔵庫の状態を示す冷蔵庫情報画面が前記操作・表示部に表示されている際、前記操作・表示部において第１の所定操作が実行されると、各々の前記食材について、対応する前記起点日からの経過日数を示す経過日数表示部と、前記食材画像データを表示する画像表示部と、を含む食材管理画面を前記操作・表示部に表示させる食材管理部と、
前記食材管理画面が前記操作・表示部に表示されている際、前記操作・表示部において第２の所定操作が実行されると、前記冷蔵庫情報画面を前記操作・表示部に表示させる冷蔵庫管理部と、を備える
ことを特徴とする冷蔵庫用遠隔制御装置。
【請求項２】
前記食材管理画面は、
前記冷蔵庫情報画面の表示を指示する冷蔵庫情報ボタンと、前記食材管理画面の表示を指示する食材管理ボタンと、を含む画面選択部と、
各々の前記食材データ毎に食材項目欄を設け、前記経過日数表示部と、前記画像表示部と、を対応する前記食材項目欄に配置した食材項目列挙表示部と、
を含むものであり、
前記冷蔵庫情報画面は、前記画面選択部と、前記冷蔵庫に関する情報を表示する冷蔵庫情報表示部と、を含むものであり、
前記第１の所定操作は、前記画面選択部において前記食材管理ボタンを操作することであり、
前記第２の所定操作は、前記画面選択部において前記冷蔵庫情報ボタンを操作することである
ことを特徴とする請求項１に記載の冷蔵庫用遠隔制御装置。
【請求項３】
前記冷蔵庫情報表示部は、
前記冷蔵庫に生じた故障を報知する第１の報知部と、
故障以外の前記冷蔵庫の運転状態を報知する第２の報知部と、
前記冷蔵庫におけるドア開閉回数を報知する第３の報知部と、
を有し、
前記冷蔵庫管理部は、前記冷蔵庫情報画面を前記操作・表示部に表示させる場合には、前記第１の報知部と、前記第２の報知部とを前記第３の報知部に優先して表示させる
ことを特徴とする請求項２に記載の冷蔵庫用遠隔制御装置。
【請求項４】
前記冷蔵庫は複数のドアを備えるものであり、
前記ドア開閉回数は、複数の前記ドアの開閉回数を日毎に合計したものであり、
前記第３の報知部は、前記ドア開閉回数が多くなるほど上下方向に長くなる矩形図形を、８日間以上の期間に渡って日毎に配置したヒストグラムを表示するものであり、
前記冷蔵庫管理部は、各々の前記矩形図形の上方に、対応する前記ドア開閉回数を数字によって表記させる機能をさらに有する
ことを特徴とする請求項３に記載の冷蔵庫用遠隔制御装置。
【請求項５】
前記食材データは、さらに、ユーザに対してリマインダ通知を行う日または日時を特定するリマインダ情報を含むものであり、
前記食材管理部は、対応するリマインダ情報に基づいて、対応する前記食材項目欄に所定のリマインダ画像を表示させる
ことを特徴とする請求項２に記載の冷蔵庫用遠隔制御装置。
【請求項６】
前記食材管理画面は、さらに、前記食材項目列挙表示部の表示モードとして第１の表示モードまたは第２の表示モードを選択する表示モード選択部を有するものであり、
前記食材データは、さらに、各々の前記食材について、ユーザが指定した任意の文字列であるメモデータを含むものであり、
前記食材管理部は、
前記表示モードとして前記第１の表示モードが選択されると、前記画像表示部および前記経過日数表示部に加えて、さらに、対応する前記食材データに含まれる前記メモデータを表示するメモ表示部を前記食材項目欄に表示させ、前記画像表示部の表示エリアを前記経過日数表示部の表示エリアよりも大きくし、前記経過日数表示部における文字サイズよりも、前記メモ表示部における文字サイズを小さくする機能と、
前記表示モードとして前記第２の表示モードが選択されると、前記画像表示部に対して前記経過日数表示部をスーパーインポーズして表示する機能と、をさらに有する
ことを特徴とする請求項５に記載の冷蔵庫用遠隔制御装置。
【請求項７】
制御部と、制御対象となる冷蔵庫に収納される各々の食材について起点日と食材画像データとを対応付けた食材データを記憶する記憶部と、前記冷蔵庫と通信する通信部と、情報の入出力を行う操作・表示部と、を備える冷蔵庫用遠隔制御装置の制御方法であって、
前記冷蔵庫の状態を示す冷蔵庫情報画面が前記操作・表示部に表示されている際、前記操作・表示部において第１の所定操作が実行されると、各々の前記食材について、対応する前記起点日からの経過日数を示す経過日数表示部と、前記食材画像データを表示する画像表示部と、を含む食材管理画面を前記操作・表示部に表示させる食材管理過程と、
前記食材管理画面が前記操作・表示部に表示されている際、前記操作・表示部において第２の所定操作が実行されると、前記冷蔵庫情報画面を前記操作・表示部に表示させる冷蔵庫管理過程と、を有する
ことを特徴とする冷蔵庫用遠隔制御装置の制御方法。
【請求項８】
制御部と、制御対象となる冷蔵庫に収納される各々の食材について起点日と食材画像データとを対応付けた食材データを記憶する記憶部と、前記冷蔵庫と通信する通信部と、情報の入出力を行う操作・表示部と、を有するコンピュータを、
前記冷蔵庫の状態を示す冷蔵庫情報画面が前記操作・表示部に表示されている際、前記操作・表示部において第１の所定操作が実行されると、各々の前記食材について、対応する前記起点日からの経過日数を示す経過日数表示部と、前記食材画像データを表示する画像表示部と、を含む食材管理画面を前記操作・表示部に表示させる食材管理手段、
前記食材管理画面が前記操作・表示部に表示されている際、前記操作・表示部において第２の所定操作が実行されると、前記冷蔵庫情報画面を前記操作・表示部に表示させる冷蔵庫管理手段、
として機能させるためのプログラム。
【発明の詳細な説明】
【技術分野】
【０００１】
本発明は、冷蔵庫用遠隔制御装置、冷蔵庫用遠隔制御装置の制御方法およびプログラムに関する。
【背景技術】
【０００２】
本技術分野の背景技術として、下記特許文献１の要約書には、「消費者が自宅にいる状態で冷蔵庫に収納されている食品の情報、当該食品の賞味期限、店舗で特売されている食品の情報等をもとにレシピを決定する。また、購入する食品に関する情報を店舗のメンバーズカードのＩＣカードや、移動端末のＩＣチップに記憶して活用することで、購入予定食品の購入忘れ防止や、必要以上の食品の購入防止、店舗での買い物時間の短縮を可能とする食品購入管理支援システムを提供する。」と記載されている。
【先行技術文献】
【特許文献】
【０００３】
【特許文献１】特開２００８−２４２９１１号公報
【発明の概要】
【発明が解決しようとする課題】
【０００４】
ところで、上記特許文献１には、冷蔵庫に収納されている食材の賞味期限等の情報と、冷蔵庫の状態とを共に管理することは記載されていない。そのため、例えば冷蔵庫のドアが開けっ放しになっていた場合等に、食材を適切に管理できなくなる可能性がある。
この発明は上述した事情に鑑みてなされたものであり、食材を適切に管理できる冷蔵庫用遠隔制御装置、冷蔵庫用遠隔制御装置の制御方法およびプログラムを提供することを目的とする。
【課題を解決するための手段】
【０００５】
上記課題を解決するため本発明の冷蔵庫用遠隔制御装置は、制御部と、制御対象となる冷蔵庫に収納される各々の食材について起点日と食材画像データとを対応付けた食材データを記憶する記憶部と、前記冷蔵庫と通信する通信部と、情報の入出力を行う操作・表示部と、を備え、前記制御部は、前記冷蔵庫の状態を示す冷蔵庫情報画面が前記操作・表示部に表示されている際、前記操作・表示部において第１の所定操作が実行されると、各々の前記食材について、対応する前記起点日からの経過日数を示す経過日数表示部と、前記食材画像データを表示する画像表示部と、を含む食材管理画面を前記操作・表示部に表示させる食材管理部と、前記食材管理画面が前記操作・表示部に表示されている際、前記操作・表示部において第２の所定操作が実行されると、前記冷蔵庫情報画面を前記操作・表示部に表示させる冷蔵庫管理部と、を備えることを特徴とする。
【発明の効果】
【０００６】
本発明によれば、食材を適切に管理できる。
【図面の簡単な説明】
【０００７】
【図１】本発明の第１実施形態による冷蔵庫制御システムのブロック図である。
【図２】冷蔵庫で実行されるコマンド受信ルーチンのフローチャートである。
【図３】冷蔵庫と携帯端末との制御シーケンスの一例を示す制御シーケンス図である。
【図４】操作・情報画面の例を示す図である。
【図５】操作・設定画面の例を示す図である。
【図６】お知らせ履歴画面の例およびお知らせ詳細画面の例を示す図である。
【図７】食材管理画面の例を示す図である。
【図８】図７における食材項目欄の拡大図である。
【図９】他の食材管理画面の例および食材データ編集画面の例を示す図である。
【図１０】カメラ操作画面および画像取り込み画面の例を示す図である。
【図１１】サポート画面の例を示す図である。
【発明を実施するための形態】
【０００８】
［第１実施形態］
〈第１実施形態の構成〉
（ハードウエア構成）
図１は、本発明の第１実施形態による冷蔵庫制御システムＳのハードウエア構成を示すブロック図である。
冷蔵庫制御システムＳは、一または複数の（Ｍ台の）冷蔵庫１０−１〜１０−Ｍ（以下、冷蔵庫１０と総称することがある）と、一または複数の（Ｎ台の）携帯端末２０−１〜２０−Ｎ（冷蔵庫用遠隔制御装置、コンピュータ。以下、携帯端末２０と総称することがある）と、を備える。
冷蔵庫１０と、携帯端末２０とは、ＬＡＮ５２を介して通信することができ、ＬＡＮ５２とＷＡＮ５４とを介して通信することができる。ＬＡＮ５２は、例えば家庭内の無線ＬＡＮである。ＷＡＮ５４は、例えばインターネットである。
【０００９】
冷蔵庫１０は、制御部１１と、記憶部１２と、通信部１３と、操作・表示部１４と、冷凍・冷蔵部１５と、を備えている。冷凍・冷蔵部１５は、冷蔵庫の筐体、冷蔵室、冷凍室、冷蔵室のドア、冷凍室のドア、圧縮機、熱交換器等を備えている。操作・表示部１４は、ＬＥＤ表示器やメンブレンスイッチ等を備えており、ユーザに対して冷蔵庫１０の各種状態を表示するとともに、メンブレンスイッチ等を介してユーザが各種コマンドを入力することが可能になっている。
【００１０】
記憶部１２は、各種情報を記憶する。通信部１３は、ＬＡＮ５２を介して、携帯端末２０等と通信する。制御部１１は、ＣＰＵ（Central Processing Unit）、ＲＡＭ（Random Access Memory）、ＲＯＭ（Read Only Memory）等、一般的なコンピュータとしてのハードウエアを備えており、ＲＯＭには、ＣＰＵによって実行される制御プログラムや、各種データ等が格納されている。
【００１１】
また、携帯端末２０は、制御部２１と、記憶部２２と、通信部２３と、操作・表示部２４と、撮影部２６と、を備えている。操作・表示部２４は、フラットパネル・ディスプレイと、その表面に設けられたタッチセンサと、を備えており、ユーザに対して各種情報を表示するとともに、ユーザが各種コマンドを入力することが可能になっている。通信部２３は、ＬＡＮ５２またはＷＡＮ５４を介して冷蔵庫１０等と通信する。記憶部２２は、各種情報を記憶する。なお、記憶部１２，２２が記憶するデータは必ずしも冷蔵庫１０や携帯端末２０の内部に記憶しておく必要はなく、サーバ等の別機器にこれらのデータを記憶する記憶装置を設けて、ＬＡＮ５２やＷＡＮ５４経由でアクセス可能にしてもよい。撮影部２６は、制御部２１からの指令に基づいて、動画または静止画を撮影する。
【００１２】
制御部２１は、ＣＰＵ、ＲＡＭ、ＲＯＭ等、一般的なコンピュータとしてのハードウエアを備えており、ＲＯＭには、ＣＰＵによって実行される制御プログラムや、各種データ等が格納されている。図１において、制御部２１の内部は、制御プログラム等によって実現される機能を、ブロックとして示している。すなわち、制御部２１は、食材管理部３２（食材管理過程、食材管理手段）と、冷蔵庫管理部３４（冷蔵庫管理過程、冷蔵庫管理手段）と、を備えている。
【００１３】
（冷蔵庫情報）
冷蔵庫１０の記憶部１２には、冷蔵庫１０に関する種々の情報が記憶される。記憶される情報を「冷蔵庫情報」と呼ぶ。冷蔵庫情報は、携帯端末２０にも転送され、携帯端末２０の記憶部２２にも冷蔵庫情報のコピーが記憶される。これにより、ユーザは、携帯端末２０を操作することによって冷蔵庫情報を確認することができる。「冷蔵庫情報」には、お知らせ、運転サイン、パラメータ値、ドア開閉回数情報等が含まれる。
【００１４】
ここで、「お知らせ」とは、ユーザに対して報知する情報であり、通常お知らせ、注意お知らせ、故障お知らせ等が含まれる。「通常お知らせ」とは冷蔵庫１０の通常の情報である。例えば、「製氷おそうじ（製氷室の除霜）」をユーザが指令した場合、それが完了した時に、完了した旨をユーザに報知する情報である。また、「注意お知らせ」とは、冷蔵庫１０の故障ではないが注意すべき事象が生じた旨のお知らせであり、例えば、ドアの開けっ放し（冷蔵室、冷凍室等のドアが所定時間（例えば３分）以上開いていること）が生じた際に、その旨を報知する情報である。また、「故障お知らせ」とは、冷蔵庫１０の故障（例えば各部の温度異常、モータの回転異常、過電流等）が生じた場合に、その旨を報知する情報である。
【００１５】
また、「ドア開閉回数情報」とは、当日を含めて過去１０日間の冷凍室または冷蔵室等のドアの開閉回数である。また、「運転サイン」とは「消費電力量を抑えた運転をしています（省電力運転を実行中である）」、「ドアが開いています」、「給水タンクに水を補充してください」、「製氷おそうじを行っています（製氷室の除霜中）」、「自動製氷機が動いています」、「急速製氷中」、「急冷却中」等の運転状態を報知する情報である。なお、「ドアが開いています」とは、上述した「ドアの開けっ放し」が発生していることを指す。
【００１６】
また、「パラメータ値」とは、携帯端末２０から設定可能な各種の値である。例えば、冷蔵庫１０には、設定項目として「冷蔵室の温度」および「冷凍室の温度」があり、これら項目について「弱」、「中」、「強」の３段階、または「１」〜「１１」の１１段階の候補の中からパラメータ値を設定することができる。また、冷蔵庫１０の冷蔵室の一部には、気圧を約０．８気圧に設定できる「真空チルドルーム」が設けられている。「真空チルドルーム」に対する「パラメータ値」には、「チルド（冷蔵温度約＋１℃）」、「氷温（冷蔵温度約−２℃）」、「真空  切（冷蔵温度は通常の冷蔵温度で気圧は約１気圧）」、の３種類の候補の中からパラメータ値を設定することができる。
【００１７】
また、冷蔵室については、「スポット冷蔵」および「急冷却」という設定項目があり、これらについては、オンまたはオフの中からパラメータ値を選択できる。また、冷蔵庫１０の冷凍室には「製氷機能」が設けられており、これについては、「急速製氷」、「製氷」、「停止」の中からパラメータ値を選択できる。また、冷蔵庫１０には、「節電」、「操作部ロック」という設定項目があり、これらについては、オンまたはオフの中からパラメータ値を選択できる。さらに、冷蔵庫１０には、「音量」という設定項目があり、これらについては、「標準」、「大きめ」、「切」の中からパラメータ値を選択できる。
【００１８】
（食材データ）
各携帯端末２０の記憶部２２には、例えば冷蔵庫１０で保管する食材に関する食材データを記憶することができる。そして、各食材データには、食材画像データと、メモデータと、リマインダ情報と、アラーム通知フラグと、起点日と、が含まれる。「食材画像データ」は、任意の画像データであり、食材以外の画像データであってもよい。しかし、当該画像データは、食材データの中に含まれるものであり、食材の画像データが用いられることが多いと考えられるため、本明細書中では「食材画像データ」と呼ぶ。
【００１９】
また、「メモデータ」とは、数十文字程度の任意の文字データであり、一般的にはその食材の名称や説明等の文字列が適用される。また、「起点日」とは、その食材について起点となる任意の日付データであり、撮影部２６が食材画像データを撮影した、または食材画像データを記憶部２２に記憶させた日付にすることができる。基点日を食材画像データの撮影日または記憶日にすれば、撮影部２６の動作に連携して自動で基点日を設定させることができるのでユーザに便利である。また、これらの日付は食材の冷蔵庫１０への保存開始日に一致または近いことが多いと考えられるため、正確性も担保し易い。もちろん、その食材の購入日や、冷蔵庫１０に収納した日にしてもよい。また、「リマインダ情報」とは、ユーザにリマインダを行う日時を特定する情報である。リマインダ情報は、例えば「２０１９年５月３日ＰＭ１０：００」のように絶対的な日時を指定してもよく、「起点日から１４日」のように起点日を基準として相対的に定める日時であってもよい。また、「アラーム通知フラグ」とは、ユーザにリマインダを行う際に、所定のアラーム動作（例えば、ブザーの鳴動や携帯端末２０の振動）を行う（オン）または行わない（オフ）旨を指定する情報である。
【００２０】
〈第１実施形態の動作〉
（冷蔵庫１０におけるコマンド受信）
図２は、冷蔵庫１０で実行されるコマンド受信ルーチンのフローチャートである。本実施形態において、各携帯端末２０は、何れかの冷蔵庫１０に対して、各種コマンドを送信することができる。図２に示すコマンド受信ルーチンは、冷蔵庫１０が何れかのコマンドを受信した際に起動される。
【００２１】
冷蔵庫１０がコマンドを受信すると、図２において、処理がステップＳ１０に進む。ここでは、冷蔵庫１０の制御部１１（図１参照）はコマンド種別を判別し、コマンド種別に応じて処理を分岐させる。本実施形態においては、「コマンド種別」は、「情報要求」、「設定要求」および「その他」のうち何れかである。ここで、「情報要求」とは、冷蔵庫１０に対して冷蔵庫情報（すなわち、お知らせ、運転サイン、パラメータ値およびドア開閉回数情報）を要求するコマンドである。
【００２２】
コマンド種別が情報要求であった場合は、処理はステップＳ１２に進み、制御部１１は、通信部１３を介して、携帯端末２０に対して冷蔵庫情報を返信し、本ルーチンが終了する。
また、コマンド種別が「設定要求」であった場合、処理はステップＳ１０からステップＳ１４に進む。ここで、「設定要求」とは、パラメータ値の設定または変更を要求するコマンドである。ステップＳ１４では、制御部１１は、排他制御に基づいて、該設定要求を拒否すべきか否かを判定する。
【００２３】
ここで、「排他制御」とは、冷蔵庫１０の状態に基づいて、携帯端末２０からの設定要求を拒否する制御を指す。例えば、冷蔵庫１０において冷蔵室または冷凍室のドアが開状態である場合、制御部１１は、「冷蔵室の温度」、「冷凍室の温度」、「真空チルドルーム」、「スポット冷蔵」、「急冷却」、「製氷機能」および「節電」の各設定項目について、パラメータ値の設定を拒否する。また、冷蔵庫１０において「製氷おそうじ中（製氷室の除霜中）」であれば、制御部１１は、「製氷機能」に係るパラメータ値の設定を拒否する。但し、この場合、制御部１１は、「冷蔵室の温度」、「冷凍室の温度」、「真空チルドルーム」、「スポット冷蔵」、「急冷却」および「節電」の各設定項目については、パラメータ値の設定を許可する。
【００２４】
ステップＳ１４で「Ｙｅｓ」（排他制御により設定要求を拒否する）と判定されると、処理はステップＳ１６に進み、制御部１１は、通信部１３を介して、「設定要求の拒否」を意味するＮＡＫ信号を携帯端末２０に返信し、本ルーチンが終了する。ここで、ＮＡＫ信号には、設定要求を拒否する理由を示す情報が含まれている。そこで、ＮＡＫ信号を受信した携帯端末２０においては、排他制御で拒否された原因に基づくメッセージ（例えば、「メンテナンスモード中」等）が操作・表示部２４（図１参照）表示される。また、携帯端末２０は、冷蔵庫１０に対して「情報要求」を送信して冷蔵庫１０の各種状態を取得し、携帯端末２０における表示内容を更新する。
【００２５】
一方、ステップＳ１４において「Ｎｏ」（設定要求を許可する）と判定されると、処理はステップＳ１８に進み、制御部１１は、通信部１３を介して、「設定要求の承諾」を意味するＡＣＫ信号を携帯端末２０に返信する。次に、処理がステップＳ２０に進むと、制御部１１は、設定要求にて指定された内容を実行する。また、受信したコマンド種別がその他であった場合には、処理はステップＳ１０からステップＳ２６に進み、制御部１１は、その他の処理を実行する。
【００２６】
（情報要求の発生条件）
ここで、携帯端末２０において、上述した「情報要求」が発生する条件について説明しておく。情報要求は、携帯端末２０においてユーザが所定の情報更新操作を行った場合、所定時間毎のタイマ・イベントが発生した場合、および冷蔵庫１０からＮＡＫ信号が返信された場合に発生する。ここで、「情報更新操作」とは、より具体的には、ユーザが携帯端末２０において操作パネルボタン１８４（図４参照）をタップする操作である。
【００２７】
また、タイマ・イベントは、携帯端末２０が宅内にある場合（より詳細にはＬＡＮ５２に対して通信が確立している場合）には、３秒毎に発生する。一方、タイマ・イベントは、携帯端末２０が宅外にある場合（より詳細にはＷＡＮ５４に対して通信が確立している場合）には、１分毎に発生する。但し、携帯端末２０の操作・表示部２４（図１参照）に「操作・情報画面」と称する画面が表示されている場合には、制御部２１は、タイマ・イベントの発生を禁止する。操作・情報画面とは、例えば図５に示すような画面である。図５の詳細については後述するが、これらの画面は冷蔵庫１０のパラメータ値を設定しようとする画面である。制御部２１は、設定操作の途中でパラメータ値が元に戻ってしまうことを防止するために、「操作・情報画面」においてはタイマ・イベントの発生を禁止している。
【００２８】
（制御シーケンス）
図３は、冷蔵庫１０と携帯端末２０との制御シーケンスの一例を示す制御シーケンス図である。
携帯端末２０においてユーザが上述した情報更新操作を行うと、携帯端末２０から冷蔵庫１０に対して、情報要求が送信される（ステップＳ１０２）。すると、冷蔵庫１０においては図２のステップＳ１２の処理が行われ、現在の冷蔵庫情報が冷蔵庫１０から携帯端末２０に返信される（ステップＳ１０４）。また、上述したタイマ・イベントが発生すると、やはり携帯端末２０から冷蔵庫１０に「情報要求」が送信される（ステップＳ１０６）。冷蔵庫１０においては、この場合も図２のステップＳ１２の処理が行われ、各種情報が冷蔵庫１０から携帯端末２０に返信される（ステップＳ１０８）。
【００２９】
また、ユーザが、携帯端末２０において冷蔵庫情報の設定操作を行ったとする。すると、この設定操作に対応する設定要求が、携帯端末２０から冷蔵庫１０に送信される（ステップＳ１２０）。この設定要求が、排他制御によって拒否すべきものであった場合、ステップＳ１２２（および図２のステップＳ１６）において、携帯端末２０にＮＡＫ信号が返信される。ＮＡＫ信号を受信した携帯端末２０は、ステップＳ１２４（および図２のステップＳ１６）において、情報要求を冷蔵庫１０に送信する。冷蔵庫１０は、ステップＳ１２６（およびステップＳ１２）において、各種情報を返信する。携帯端末２０は、冷蔵庫１０から各種情報が返信されると、操作・表示部２４の表示内容を更新する。
【００３０】
また、ユーザが、携帯端末２０において冷蔵庫情報の設定操作をさらに行ったとする。すると、上述のステップＳ１２０と同様に、設定操作に応じた設定要求が、携帯端末２０から冷蔵庫１０に送信される（ステップＳ１３０）。この設定要求が、排他制御によって拒否すべきものではなかった場合、冷蔵庫１０から携帯端末２０に対してＡＣＫ信号が返信される（ステップＳ１３２、図２のステップＳ１８）。この場合、携帯端末２０の制御部２１は、設定要求の内容に基づいて、操作・表示部２４の表示内容を更新する。
【００３１】
（アプリケーションプログラムの起動）
図４は、携帯端末２０の操作・表示部２４に表示される操作・情報画面Ｖ０２〜Ｖ０６（冷蔵庫情報画面）の例を示す図である。
操作・表示部２４において、所定の操作（例えば所定のアイコンのタップ）が行われると、本実施形態における食材・冷蔵庫管理アプリケーションプログラムが起動される。該アプリケーションプログラムが起動されると、例えば、図４に示す操作・情報画面Ｖ０２が初期画面として操作・表示部２４に表示される。
【００３２】
操作・情報画面Ｖ０２には、画面上部の主メニューバー１８０（画面選択部）と、画面下部の副メニューバー１９０と、画面中央部の冷蔵庫情報表示部１００と、が含まれている。また、主メニューバー１８０には、メニューボタン１８２と、操作パネルボタン１８４と、「きろく」と記された食材管理ボタン１８６と、サポートボタン１８８と、動作状態アイコン１８９と、が含まれている。
【００３３】
操作・表示部２４に表示される表示画面の種別は、「操作画面」、「食材管理画面」および「サポート画面」に大別される。上述した操作・情報画面Ｖ０２は、操作画面の一種である。主メニューバー１８０における操作パネルボタン１８４、食材管理ボタン１８６、およびサポートボタン１８８は、「操作画面」「食材管理画面」および「サポート画面」の表示をそれぞれ選択するものであり、選択された種別に係るボタンは、赤字で表示され、アンダーラインが付される。一方、他の種別に係るボタンは、黒字で表示され、アンダーラインは付されない。
【００３４】
動作状態アイコン１８９は、冷蔵庫１０の状態を表すものである。冷蔵庫１０が運転中であれば、操作・情報画面Ｖ０２のように、動作状態アイコン１８９には、矩形枠の中に「運転中」と表示される。また、冷蔵庫１０が停止中である場合は矩形枠の中に「停止中」と表示され、携帯端末２０と冷蔵庫１０との通信が切断されていると、矩形枠の中に「切断中」と表示される。また、操作・情報画面Ｖ０２のように、矩形枠の横に、三角形枠で囲まれた「エクスクラメーションマーク（！）」が表示されることがある。
【００３５】
この「エクスクラメーションマーク（！）」は、冷蔵庫１０から上述した「注意お知らせ」または「故障お知らせ」が携帯端末２０に通知された場合に表示される。動作状態アイコン１８９は、操作・情報画面Ｖ０２以外の他の画面においても表示される。ユーザが、動作状態アイコン１８９をタップすると、冷蔵庫管理部３４は、操作・表示部２４にお知らせ詳細画面Ｖ２２（図６参照）を表示される。なお、お知らせ詳細画面Ｖ２２の詳細については後述する。
【００３６】
操作・情報画面Ｖ０２の例では、表示画面の種別として「操作画面」が選択されているため、操作パネルボタン１８４（冷蔵庫情報ボタン）が赤字で表示され、アンダーラインが付されている。一方、食材管理ボタン１８６およびサポートボタン１８８は黒字で表示され、アンダーラインは付されていない。また、副メニューバー１９０には、情報ボタン１９１と、設定ボタン１９２と、が含まれている。これらは、「操作画面」の中のさらに細かい分類である「操作・情報画面」および「操作・設定画面」（詳細は後述する）の表示を指示するものである。
【００３７】
（操作・情報画面の例）
図４の操作・情報画面Ｖ０２のように、操作・情報画面は冷蔵庫情報表示部１００を有することが特徴になっている。冷蔵庫情報表示部１００は、お知らせ表示部１２０と、運転サイン部１３０と、グラフ表示部１４０と、を含んでいる。お知らせ表示部１２０は、冷蔵庫１０に係る種々の「お知らせ」（通常お知らせ、注意お知らせ、故障お知らせ）の有無を表示するものである。
【００３８】
操作・情報画面Ｖ０２におけるお知らせ表示部１２０は、「お知らせ」が無い場合の例を示している。図示のように、「お知らせ」が無い場合にはお知らせ表示部１２０に「なし」と表示されるため、ユーザは「お知らせ」が無いことを明確に認識できる。「お知らせ」が存在する場合、お知らせ表示部１２０には、その「お知らせ」の発生日時が表示される。また、「お知らせ」が存在する場合、ユーザがお知らせ表示部１２０を指でタップすると、制御部２１の冷蔵庫管理部３４（図１参照）は、例えば、お知らせ詳細画面Ｖ２２（図６参照、詳細は後述する）を操作・表示部２４に表示する。
【００３９】
また、運転サイン部１３０は、上述した運転サインすなわち、「消費電力量を抑えた運転をしています」、「ドアが開いています」、「（給水タンクに）水を補充してください」、「製氷おそうじを行っています（製氷室の除霜中）」、「自動製氷機が動いています」、「急速製氷中」、「急冷却中」等を、１行につき１個ずつ表示する。すなわち、運転サイン部１３０には、冷蔵庫１０の故障情報は含まれていない。また、運転サイン部１３０は、運転サインを１行につき１個ずつ表示するため、運転サインの数が多くなるほど、運転サイン部１３０の上下方向の幅が広がる。
【００４０】
冷蔵庫１０の故障情報は、上述したように、動作状態アイコン１８９またはお知らせ表示部１２０を介して、ユーザに報知される。すると、お知らせ表示部１２０、運転サイン部１３０およびグラフ表示部１４０のうち、表示する緊急度が最も高いものは、一般的にはお知らせ表示部１２０であり、次に緊急度の高いものは運転サイン部１３０であり、最も緊急度の低いものはグラフ表示部１４０になる。
【００４１】
上述のように、運転サイン部１３０は、運転サインの数が増加すると、その上下方向の幅が広がってゆく。図４に示す操作・情報画面Ｖ０４は、運転サイン部１３０において７個の運転サインが表示されており、その結果、グラフ表示部１４０がほとんど隠れている。このような場合は、冷蔵庫情報表示部１００をスクロールすると（例えば冷蔵庫情報表示部１００に指を置いて上方向にスライドさせると）、制御部２１の冷蔵庫管理部３４は隠れている部分を表示する。図４に示す操作・情報画面Ｖ０６は、操作・情報画面Ｖ０４の冷蔵庫情報表示部１００をスライドさせた場合の表示画面の一例である。このように、冷蔵庫情報表示部１００のうち緊急度の高いお知らせ表示部１２０および運転サイン部１３０は、操作・情報画面Ｖ０２，Ｖ０４が表示された際に優先的に表示される。
【００４２】
また、操作・情報画面Ｖ０２において、グラフ表示部１４０は、冷蔵庫１０のドアの開閉回数を日付毎のヒストグラムとして表示するものである。すなわち、ヒストグラムにおいて、各日に対応する矩形図形（符号なし）は、その日におけるドア開閉回数が多くなるほど上下方向に長くなる。また、制御部２１の冷蔵庫管理部３４は、各矩形図形の上方に、ドアの開閉回数を数字によって表示する。グラフ表示部１４０には、ヒストグラムの縦軸が含まれていないが、縦軸が無かったとしても、ヒストグラム上の数字によって、ユーザはドアの開閉回数を正確に把握することができる。これにより、本実施形態によれば、ヒストグラムの表示領域を大きく確保することができる。
【００４３】
図４に示す例において、グラフ表示部１４０は、本日を含めて１０日間のヒストグラムを表示している。表示する日数は「１０日間」に限られるものではないが、「少なくとも８日間」のヒストグラムを表示することが好ましい。少なくとも８日間のヒストグラムが表示されていると、本日および昨日における開閉回数と、本日および昨日から１週間前の日における開閉回数とがグラフ表示部１４０に同時に表示される。これにより、ユーザは、曜日毎の開閉回数の傾向を一見して把握しやすくなる。
【００４４】
また、冷蔵庫管理部３４は、冷蔵庫１０が備える個々のドア毎の開閉回数ではなく、開閉を検知可能な複数のドアの開閉回数の合計値をヒストグラムとしてグラフ表示部１４０に表示する。これにより、「ドアを開けたか否か」の見守りに関して、より効率的にユーザに情報を伝達することができる。
【００４５】
操作・情報画面Ｖ０２〜Ｖ０６に示したように、冷蔵庫情報表示部１００においては、お知らせ表示部１２０（第１の報知部）と、運転サイン部１３０（第２の報知部）と、グラフ表示部１４０（第３の報知部）と、がその順序で上から下に向かって配置される。これは、上に表示されているものほど重要性または緊急性が高い傾向があるためである。すなわち、ユーザは、重要性または緊急性が高い情報を、スクロール等の操作を行うことなく、把握できる可能性が高くなる。
【００４６】
また、操作・情報画面Ｖ０４の運転サイン部１３０に示すように、運転サインの文章の全てを画面中に表示できない場合、表示可能な範囲の文章と、「…＞」の記号とが運転サイン部１３０に表示される。この場合、ユーザが運転サインの文章の部分をタップすると、制御部２１の冷蔵庫管理部３４（図１参照）は、操作・表示部２４に当該運転サインの説明画面（図示略）を表示する。これにより、ユーザは、操作・表示部２４の大きさにかかわらず、運転サインの文章の詳細を容易に知ることができる。
【００４７】
（操作・設定画面の例）
図５は、操作・表示部２４に表示される操作・設定画面の例を示す図である。
例えば、図４に示した操作・情報画面Ｖ０２〜Ｖ０６の何れかにおいて、設定ボタン１９２をタップすると、制御部２１の冷蔵庫管理部３４（図１参照）は、例えば、図５に示す操作・設定画面Ｖ１０が操作・表示部２４に表示される。
操作・設定画面Ｖ１０は、主メニューバー１８０および副メニューバー１９０を有する点で、操作・情報画面Ｖ０２〜Ｖ０６と共通しているが、中央部分には設定項目一覧部２００が表示される。
【００４８】
操作・設定画面Ｖ１０の設定項目一覧部２００には、複数の（図示の例では８個の）設定項目ボタン２０２−１〜２０２−８が含まれている。なお、設定項目ボタンが９個以上存在する場合には、ユーザは設定項目一覧部２００をスクロールするとよい。冷蔵庫管理部３４は、スクロール操作を検出すると、隠れている設定項目を操作・表示部２４に表示する。各設定項目ボタン２０２−１〜２０２−８には、「冷蔵室温度」、「真空チルド」、「スポット冷蔵」、「サッと急冷却」等の設定項目名と、「弱」、「真空チルド」、「オン」、「オン」等のパラメータ値と、が含まれている。ユーザが、何れかの設定項目ボタンをタップすると、冷蔵庫管理部３４は、操作・設定画面Ｖ１２に示すように、設定項目ダイアログ２１０を操作・表示部２４に表示する。
【００４９】
設定項目ダイアログ２１０は、パラメータ値設定部２１２と、キャンセルボタン２１４と、設定ボタン２１６と、を含んでいる。
パラメータ値設定部２１２において、パラメータ値を設定し、設定ボタン２１６をタップすると、制御部２１の冷蔵庫管理部３４（図１参照）は、対応する設定要求（図３のステップＳ１２０，Ｓ１３０等）を冷蔵庫１０に送信する。
これに対して、冷蔵庫１０からＮＡＫ信号が返信されると、冷蔵庫管理部３４は、図５の操作・設定画面Ｖ１４に示すように、報知ダイアログ２２０を操作・表示部２４に表示する。報知ダイアログ２２０においてＯＫボタン２２２がタップされると、冷蔵庫管理部３４は、報知ダイアログ２２０を閉じる。
【００５０】
（お知らせ履歴画面の例）
図６は、操作・表示部２４に表示されるお知らせ履歴画面の例を示す図である。
操作画面（例えば図４の操作・情報画面Ｖ０２〜Ｖ０６、図５の操作・設定画面Ｖ１０〜１４等）において、ユーザがメニューボタン１８２をタップすると、各種メニューが表示される（図示略）。そのメニューに含まれている「お知らせ履歴」ボタンをタップすると、制御部２１の冷蔵庫管理部３４（図１参照）は、例えば、図６に示すお知らせ履歴画面Ｖ２０を操作・表示部２４に表示する。
【００５１】
お知らせ履歴画面Ｖ２０には、主メニューバー１５０と、履歴一覧部１６０と、が含まれている。そして、主メニューバー１５０には、戻るボタン１５２と、動作状態アイコン１８９と、が含まれている。ユーザが戻るボタン１５２をタップすると、制御部２１の冷蔵庫管理部３４（図１参照）は、操作・表示部２４の表示画面を、お知らせ履歴画面Ｖ２０が表示される前の画面に戻す。
【００５２】
履歴一覧部１６０には、複数の（図示の例では９個の）履歴項目ボタン１６２−１〜１６２−９が含まれる。なお、履歴項目ボタンは、実際は１０個以上存在しており、これらは履歴一覧部１６０をスクロールすることによって、冷蔵庫管理部３４は残りの履歴を操作・表示部２４に表示する。各履歴項目ボタン１６２−１〜１６２−９は、操作・表示部２４が冷蔵庫１０から受信したお知らせのうち、「注意お知らせ」および「故障お知らせ」に対応している。すなわち、「通常お知らせ」の履歴は履歴一覧部１６０には含まれない。
【００５３】
各履歴項目ボタン１６２−１〜１６２−９には、発生日欄１６４と、発生時刻欄１６５と、お知らせコード欄１６６と、が含まれる。発生日欄１６４は、当該お知らせが発生した日を示し、発生時刻欄１６５は、発生時刻を示す。また、「注意お知らせ」および「故障お知らせ」には、種類ごとに「お知らせコード」が付与されている。お知らせコード欄１６６は、該お知らせコードを示すものである。
ユーザが履歴項目ボタン１６２−１〜１６２−９のうち、何れかをタップすると、制御部２１の冷蔵庫管理部３４は、図６に示すお知らせ詳細画面Ｖ２２を操作・表示部２４に表示する。
【００５４】
お知らせ詳細画面Ｖ２２は、主メニューバー１５０と、詳細説明部１７０と、を含んでいる。主メニューバー１５０の内容は、お知らせ履歴画面Ｖ２０のものと同様である。詳細説明部１７０には、発生日欄１７４と、発生時刻欄１７５と、お知らせコード欄１７６と、解説文欄１７８と、が含まれる。発生日欄１７４、発生時刻欄１７５およびお知らせコード欄１７６の表示内容は、対応する履歴項目ボタン１６２−１〜１６２−９における発生日欄１６４、発生時刻欄１６５およびお知らせコード欄１６６の表示内容と同様である。また、解説文欄１７８には、お知らせコード（例えばＣ０１）に対する解説文が表示される。
【００５５】
（食材管理画面の例：リスト・モード）
図７は、操作・表示部２４に表示される食材管理画面Ｖ３０の例を示す図である。
操作画面（図４のＶ０２〜Ｖ０６、図５のＶ１０〜１４等）において、ユーザが「きろく」と表示された食材管理ボタン１８６をタップすると、制御部２１の食材管理部３２（図１参照）は、例えば、図７に示す食材管理画面Ｖ３０を操作・表示部２４に表示する。
食材管理画面Ｖ３０は、主メニューバー１８０と、食材項目列挙表示部２６０と、副メニューバー２５０と、他の副メニューバー２７０（表示モード選択部）と、を含む。
【００５６】
主メニューバー１８０の内容は、操作画面（図４のＶ０２〜Ｖ０６、図５のＶ１０〜１４等）のものと同様である。但し、食材管理画面Ｖ３０においては、表示画面の種別として「食材管理画面」が選択されているため、「きろく」と記された食材管理ボタン１８６が赤字で表示され、アンダーラインが付されている。一方、操作パネルボタン１８４およびサポートボタン１８８は黒字で表示され、アンダーラインは付されていない。
【００５７】
食材項目列挙表示部２６０は、５個の食材項目欄２６２−１〜２６２−５を含む。食材項目列挙表示部２６０は、さらに６番目以降の食材項目欄も含んでいる。ユーザが食材項目列挙表示部２６０をスクロールすると、制御部２１の食材管理部３２（図１参照）は、残りの項目を表示する。各々の食材項目欄は、それぞれ上述した食材データの内容等を表示するものである。
図８は、図７における食材項目欄２６２−１の拡大図である。図８において、食材項目欄２６２−１は、画像表示部６１と、チェックボックス６２と、メモ表示部６３と、ベルアイコン６４（リマインダ画像）と、経過日数表示部６５と、起点日表示部６６と、を含む。なお、他の食材項目欄の構成も、食材項目欄２６２−１と同様である。
【００５８】
画像表示部６１は、当該食材データに含まれる食材画像データを表示する。メモ表示部６３は、当該食材データのメモデータの内容を表示する。ベルアイコン６４は、当該食材データにリマインダ情報が設定されている場合に表示される。経過日数表示部６５は、起点日から本日までの経過日数を表示する。起点日表示部６６は、当該食材データの起点日を表示する。
【００５９】
食材管理部３２は、経過日数表示部６５を、通常は黒字で表示する。しかし、本日の日付が起点日から１ヶ月を過ぎた場合、または、現在時刻がリマインダ情報による日時を過ぎた場合、経過日数表示部６５の表示色が赤字に変更される。図７および図８においては、赤色表示の経過日数表示部６５を矩形枠によって示す。すなわち、食材管理画面Ｖ３０においては、食材項目欄２６２−１，２６２−２の経過日数表示部が赤字表示され、他の経過日数表示部は黒字で表示されている。食材項目欄２６２−１〜２６２−５のうち何れかをタップすると、制御部２１の食材管理部３２（図１参照）は、対応する食材データ編集画面Ｖ３４（図９参照、詳細は後述する）を表示する。
【００６０】
ユーザは、食材データ編集画面Ｖ３４において、当該食材データのメモデータ、リマインダ情報、起点日等を編集することができる。なお、その詳細については後述する。図８において、メモ表示部６３における（一文字あたりの）文字サイズよりも、経過日数表示部６５における文字サイズのほうが大きくなっている。さらに、画像表示部６１の表示エリアは、経過日数表示部６５の表示エリアよりも大きくなっている。このように、画像表示部６１に表示される食材画像データを見やすく表示することにより、ユーザは食材が何であったのか思い出しやすくなる。
【００６１】
図７において、副メニューバー２５０には、ソート順指示ボタン２５２と、現在日表示欄２５４と、画像取り込みボタン２５６と、カメラ起動ボタン２５８と、お役立ちボタン２５９と、が含まれる。ユーザが、副メニューバー２５０においてソート順指示ボタン２５２をタップすると、制御部２１の食材管理部３２（図１参照）は、食材項目列挙表示部２６０のソート順を変更する。例えば、ソート順は、「日付順」または「日付の逆順」に変更することができる。
【００６２】
また、ユーザが、カメラ起動ボタン２５８をタップすると、食材管理部３２は、カメラ操作画面Ｖ３６（図１０参照）を操作・表示部２４に表示する。また、ユーザが、画像取り込みボタン２５６をタップすると、食材管理部３２は、画像取り込み画面Ｖ３８（図１０参照）を操作・表示部２４に表示する。カメラ操作画面Ｖ３６および画像取り込み画面Ｖ３８について詳細は後述するが、食材管理部３２は、これらの画面を介して取り込んだ画像を食材画像データとする、新たな食材データを作成する。
【００６３】
これにより、新たな食材データに係る食材項目欄が食材項目列挙表示部２６０に追加される。また、ユーザがお役立ちボタン２５９をタップすると、携帯端末２０において所定のブラウザ・プログラムが起動し、このブラウザ・プログラムがＷＡＮ５４における所定のサイトのＷｅｂページを操作・表示部２４に表示する。
【００６４】
本実施形態においては、食材項目列挙表示部２６０のスクロール状態にかかわらず、また、食材項目欄２６２−１〜２６２−５等の数にかかわらず、副メニューバー２５０は操作・表示部２４に表示される。これにより、副メニューバー２５０に含まれるソート順指示ボタン２５２、画像取り込みボタン２５６およびカメラ起動ボタン２５８に対して、ユーザが速やかにアクセスできる状態を維持できる。
【００６５】
また、チェックボックス６２（図８参照）は、削除する食材データ等を選択する場合に用いられる。より詳細に説明すると、図７において、何れかの食材項目欄２６２−１〜２６２−５におけるチェックボックスをタップすると、当該チェックボックスがチェック状態になる。そして、食材管理部３２は、副メニューバー２７０に、「キャンセル」ボタンおよび「削除」ボタンを表示させる（図示せず）。ここで、ユーザが「削除」ボタンをタップすると、食材管理部３２は、チェック状態であった一または複数の食材項目欄２６２−１〜２６２−５等を画面上から削除し、対応する食材データも削除する。
【００６６】
また、図７において、食材管理画面Ｖ３０の副メニューバー２７０には、リスト・ボタン２７２と、アルバム・ボタン２７４と、が含まれている。これらは、食材項目列挙表示部２６０における表示モードを切り替えるためのものである。ユーザがリスト・ボタン２７２をタップすると、食材管理部３２は、表示モードとしてリスト・モードを選択する。
【００６７】
リスト・モードにおいて、食材項目列挙表示部２６０の表示態様は、食材管理画面Ｖ３０に示したようになる。すなわち、食材項目列挙表示部２６０には、横長の矩形状の食材項目欄２６２−１〜２６２−５が縦方向に一列で表示される。また、ユーザがアルバム・ボタン２７４をタップすると、食材管理部３２は、表示モードとしてアルバム・モードを選択する。アルバム・モードにおいて、食材項目列挙表示部２６０の表示態様は、食材管理画面Ｖ３２（図９参照）に示すようになる。
【００６８】
（食材管理画面の例：アルバム・モード）
図９は、操作・表示部２４に表示されるアルバム・モードの食材管理画面Ｖ３２および食材データ編集画面Ｖ３４の例を示す図である。上述のように、リスト・モードの食材管理画面Ｖ３０（図７参照）において、アルバム・ボタン２７４をタップすると、アルバム・モードの食材管理画面Ｖ３２が操作・表示部２４に表示される。
食材管理画面Ｖ３２は、主メニューバー１８０と、副メニューバー２５０と、副メニューバー２７０と、を含んでおり、これらの内容は食材管理画面Ｖ３０（図７参照）のものと同様である。但し、食材管理部３２は、食材管理画面Ｖ３０の食材項目列挙表示部２６０に代えて、食材項目列挙表示部２６３を操作・表示部２４に表示する。
【００６９】
図示の例では、食材項目列挙表示部２６３には、６個の食材項目欄２６４−１〜２６４−６が表示されている。食材項目列挙表示部２６３は、さらに７番目以降の食材項目欄も含んでおり、ユーザが食材項目列挙表示部２６３をスクロールすると、食材管理部３２は残りの食材項目欄を操作・表示部２４に表示する。食材項目欄２６４−１〜２６４−６は、食材項目列挙表示部２６３の幅の約１／２の長さを一辺とする正方形形状を有し、これら食材項目欄が縦方向に二列で表示される。
【００７０】
食材項目欄２６４−１〜２６４−６には、画像表示部７１と、チェックボックス７２と、経過日数表示部７５と、が含まれる。画像表示部７１は、各食材項目欄のほぼ全体に渡る表示領域を有し、対応する食材画像データを表示する。また、チェックボックス７２および経過日数表示部７５は、画像表示部７１に対してスーパーインポーズして表示されている。チェックボックス７２および経過日数表示部７５は、図８に示したチェックボックス６２および経過日数表示部６５の機能と同様である。食材管理画面Ｖ３２においては、スーパーインポーズ表示を行うため、チェックボックス７２および経過日数表示部７５のための専用の領域を設ける必要がなくなるため、食材画像データを大きく表示することができる。
【００７１】
（食材データ編集画面の例）
上述した食材項目欄２６２−１〜２６２−５（図７参照）または食材項目欄２６４−１〜２６４−６（図９参照）のうち何れかをユーザがタップすると、食材管理部３２は、対応する食材データの内容を編集する食材データ編集画面を操作・表示部２４に表示する。
図９に示す食材データ編集画面Ｖ３４は、その一例である。図９において、食材データ編集画面Ｖ３４は、主メニューバー１８０と、食材データ編集部２８０と、を含んでいる。ここで、主メニューバー１８０の内容は、上述した食材管理画面Ｖ３０，Ｖ３２（図７，図９参照）のものと同様である。
【００７２】
また、食材データ編集部２８０には、戻るボタン２８２と、画像表示部２８４と、画像取り込みボタン２８６と、カメラ起動ボタン２８８と、メモデータ編集欄２９０と、起点日編集欄２９２と、リマインダ情報編集欄２９４と、アラーム通知許可ボタン２９６と、保存ボタン２９８と、が含まれている。
【００７３】
ユーザが戻るボタン２８２をタップすると、操作・表示部２４には元の画面（例えばＶ３０，Ｖ３２）が再表示される。また、ユーザが、カメラ起動ボタン２８８をタップすると、カメラ操作画面Ｖ３６（図１０参照）が表示される。また、ユーザが、画像取り込みボタン２８６をタップすると、画像取り込み画面Ｖ３８（図１０参照）が表示される。従って、これらの画面を介して、当該食材データにおける食材画像データを変更することができる。なお、カメラ操作画面Ｖ３６および画像取り込み画面Ｖ３８の詳細については後述する。
【００７４】
また、ユーザがメモデータ編集欄２９０をタップすると、文字編集用のダイアログ（図示略）が表示され、ユーザはメモデータの内容を編集できる。また、ユーザがリマインダ情報編集欄２９４をタップすると、日時入力用のダイアログ（図示略）が表示され、ユーザはリマインダ情報を設定できる。また、アラーム通知許可ボタン２９６をタップすると、当該食材データに関するアラーム通知フラグのオン／オフ状態がトグルで切り替えられる。このように、食材データ編集部２８０において各種データの入力や編集を行った後、ユーザは、保存ボタン２９８をタップする。保存ボタン２９８がタップされると、食材データ編集部２８０に入力された内容に基づいて食材データが更新され、操作・表示部２４には元の画面（例えばＶ３０，Ｖ３２）が再表示される。
【００７５】
（カメラ操作画面の例）
図１０は、上述したカメラ操作画面Ｖ３６および画像取り込み画面Ｖ３８の例を示す図である。
カメラ操作画面Ｖ３６は、主メニューバー１８０と、カメラ操作部３００と、を含んでいる。主メニューバー１８０の内容は、食材管理画面Ｖ３０，Ｖ３２のもの（図７、図９参照）と同様である。
【００７６】
また、カメラ操作部３００は、画像表示部３０２と、シャッターボタン３０４と、クローズボタン３０６と、を含んでいる。画像表示部３０２は、撮影部２６（図１参照）によって撮影されている画像を表示する。ユーザによってクローズボタン３０６がタップされると、食材管理部３２は、操作・表示部２４に元の画面（例えば図７、図９のＶ３０，Ｖ３２，Ｖ３４）を表示する。その際、元の画面に表示されていた食材画像データには、変更は生じない。
【００７７】
また、ユーザがシャッターボタン３０４をタップすると、食材管理部３２は、現在撮影されている画像、すなわち画像表示部３０２に表示されている画像を、食材画像データとして、携帯端末２０の記憶部２２に記憶する。そして、食材管理部３２は、食材データ編集画面Ｖ３４（図９参照）を操作・表示部２４に表示する。そして、食材管理部３２は、食材データ編集画面Ｖ３４の画像表示部２８４の内容を、今回追加された画像データに変更する。
【００７８】
カメラ操作画面Ｖ３６が食材管理画面Ｖ３０，Ｖ３２のカメラ起動ボタン２５８によって表示された場合には、食材管理部３２は、今回追加された画像データを食材画像データとする新たな食材データを追加する。追加された食材データにおいては、メモデータ、リマインダ情報は空白であり、アラーム通知フラグはオフに設定される。また、起点日は食材画像データの撮影日に設定される。なお、メモデータ、リマインダ情報は空白のままでもよいし、上述した食材データ編集画面Ｖ３４（図９参照）において設定してもよい。
【００７９】
ところで、携帯端末２０の記憶部２２（図１参照）には、種々の画像データを格納する画像データフォルダ（図示略）が設けられている。カメラ操作画面Ｖ３６の操作によって今回追加された画像データは、本実施形態のアプリケーションプログラムにおける食材画像データとして使用される他、記憶部２２の画像データフォルダにも格納される。従って、携帯端末２０における一般的な画像転送ツール等を用いて、他の携帯端末２０と、食材画像データを共有することができる。また、食材管理部３２が何れかの食材データを削除した際、本アプリケーションプログラムにおいては、その食材データに含まれる食材画像データも削除される。しかし、削除した食材画像データと同一の画像データが記憶部２２の画像データフォルダにも格納されているため、ユーザは、当該画像データを用いて、再び食材データを作成することができる。
【００８０】
一般的に、食材管理を行うアプリケーションプログラムにおいては、食材名（本実施形態におけるメモデータに対応する）の入力が求められる場合が多い。しかし、食材管理画面Ｖ３０，Ｖ３２（図７、図９参照）のように、少なくとも起点日からの経過日数と、食材画像データとが表示されていれば、ユーザはこれらの情報に基づいて、食材名を思い出せる場合が多いと考えられる。このような場合、本実施形態においては、ユーザはメモデータの入力を省略することができ、ユーザによる操作の手間を低減することができる。
【００８１】
次に、カメラ操作画面Ｖ３６が食材データ編集画面Ｖ３４のカメラ起動ボタン２８８によって表示された場合について説明する。この場合、カメラ操作画面Ｖ３６のシャッターボタン３０４をユーザがタップすると、食材管理部３２は、食材データ編集画面Ｖ３４を再び表示する。その際、食材データ編集画面Ｖ３４における画像表示部２８４には、今回追加された画像データが表示される。この場合、メモデータ、リマインダ情報、起点日、アラーム通知フラグの値は、元々の値のまま維持される。
【００８２】
（画像取り込み画面の例）
また、画像取り込み画面Ｖ３８は、主メニューバー１８０と、画像リスト表示部３１０と、副メニューバー３２０と、を含んでいる。主メニューバー１８０の内容は、食材管理画面Ｖ３０，Ｖ３２のもの（図７、図９参照）と同様である。上述したように、携帯端末２０の記憶部２２（図１参照）には、種々の画像データを格納する画像データフォルダ（図示略）が設けられている。
【００８３】
画像リスト表示部３１０には、この画像データフォルダに格納されている一または複数の画像データファイルについて、アイコン画像３１２を表示する。なお、図示の例においては、アイコン画像３１２は１個のみ表示されている。また、副メニューバー３２０には、キャンセルボタン３２２と、選択ボタン３２４と、が表示されている。ユーザによってキャンセルボタン３２２がタップされると、操作・表示部２４には、元の画面（例えば図７、図９のＶ３０，Ｖ３２，Ｖ３４）が表示される。その際、元の画面に表示されていた食材画像データには、変更は生じない。
【００８４】
また、ユーザが何れかのアイコン画像３１２をタップすると、当該アイコン画像３１２に係る画像データファイルが指定された状態になる。この状態でユーザが選択ボタン３２４をタップすると、制御部２１の食材管理部３２（図１参照）は、操作・表示部２４に、食材データ編集画面Ｖ３４（図９参照）を表示する。そして、食材管理部３２は、食材データ編集画面Ｖ３４の画像表示部２８４の内容を、今回指定された画像データに変更する。
【００８５】
画像取り込み画面Ｖ３８が食材管理画面Ｖ３０，Ｖ３２の画像取り込みボタン２５６によって表示された場合、食材管理部３２は、今回指定された画像データを食材画像データとする新たな食材データを追加する。追加された食材データにおいては、メモデータ、リマインダ情報は空白であり、アラーム通知フラグはオフに設定される。また、起点日は画像データファイルの作成日に設定される。
【００８６】
次に、画像取り込み画面Ｖ３８が食材データ編集画面Ｖ３４の画像取り込みボタン２８６によって表示された場合について説明する。この場合、ユーザが画像データファイルを指定して選択ボタン３２４をタップすると、食材管理部３２は食材データ編集画面Ｖ３４を再び表示させる。その際、食材管理部３２は、食材データ編集画面Ｖ３４における画像表示部２８４に、今回追加された画像データを表示する。この場合、メモデータ、リマインダ情報、起点日、アラーム通知フラグの値は、元々の値のまま維持される。
【００８７】
（サポート画面の例）
図１１は、サポート画面Ｖ４０の一例を示す図である。上述したように、主メニューバー１８０が表示されている各画面においてユーザがサポートボタン１８８をタップすると、制御部２１は図１１に示すようなサポート画面Ｖ４０を操作・表示部２４に表示させる。操作・情報画面Ｖ０４は、主メニューバー１８０と、サポートメニュー部３４０と、を備えている。
【００８８】
主メニューバー１８０の内容は、操作画面（図４のＶ０２〜Ｖ０６、図５のＶ１０〜１４等）のものと同様である。但し、サポート画面Ｖ４０においては、表示画面の種別として「サポート画面」が選択されているため、サポートボタン１８８が赤字で表示され、アンダーラインが付されている。サポートメニュー部３４０には、複数のボタン３４２〜３５６等が含まれており、ユーザが所望のボタンをタップすると、そのボタンに応じたサポート動作が実行される。
【００８９】
〈第１実施形態の効果〉
以上のように本実施形態の冷蔵庫用遠隔制御装置（２０）は、制御部（２１）と、制御対象となる冷蔵庫（１０）に収納される各々の食材について起点日と食材画像データとを対応付けた食材データを記憶する記憶部（２２）と、冷蔵庫（１０）と通信する通信部（２３）と、情報の入出力を行う操作・表示部（２４）と、を備え、制御部（２１）は、冷蔵庫（１０）の状態を示す冷蔵庫情報画面（Ｖ０２〜Ｖ０６）が操作・表示部（２４）に表示されている際、操作・表示部（２４）において第１の所定操作（食材管理ボタン１８６のタップ）が実行されると、各々の食材について、対応する起点日からの経過日数を示す経過日数表示部（６５，７５）と、食材画像データを表示する画像表示部（６１，７１）と、を含む食材管理画面（Ｖ３０，Ｖ３２）を操作・表示部（２４）に表示させる食材管理部（３２）と、食材管理画面（Ｖ３０，Ｖ３２）が操作・表示部（２４）に表示されている際、操作・表示部（２４）において第２の所定操作（操作パネルボタン１８４のタップ）が実行されると、冷蔵庫情報画面（Ｖ０２〜Ｖ０６）を操作・表示部（２４）に表示させる冷蔵庫管理部（３４）と、を備える。
これにより、冷蔵庫に収納されている食材の情報と、冷蔵庫の状態とを共に管理することができ、食材を適切に管理できる。
【００９０】
さらに、本実施形態によれば、食材管理画面（Ｖ３０，Ｖ３２）は、冷蔵庫情報画面（Ｖ０２〜Ｖ０６）の表示を指示する冷蔵庫情報ボタン（１８４）と、食材管理画面（Ｖ３０，Ｖ３２）の表示を指示する食材管理ボタン（１８６）と、を含む画面選択部（１８０）と、各々の食材データ毎に食材項目欄（２６２−１〜２６２−５，２６４−１〜２６４−６）を設け、経過日数表示部（６５，７５）と、画像表示部（６１，７１）と、を対応する食材項目欄に配置した食材項目列挙表示部（２６０，２６３）と、を含むものであり、冷蔵庫情報画面（Ｖ０２〜Ｖ０６）は、画面選択部（１８０）と、冷蔵庫（１０）に関する情報を表示する冷蔵庫情報表示部（１００）と、を含むものであり、第１の所定操作は、画面選択部（１８０）において食材管理ボタン（１８６）を操作することであり、第２の所定操作は、画面選択部（１８０）において冷蔵庫情報ボタン（１８４）を操作することである。
このように、食材管理画面（Ｖ３０，Ｖ３２）および冷蔵庫情報画面（Ｖ０２〜Ｖ０６）において、共に画面選択部（１８０）を設け、画面選択部（１８０）の操作によって画面を切り替えるため、食材管理画面（Ｖ３０，Ｖ３２）および冷蔵庫情報画面（Ｖ０２〜Ｖ０６）を迅速に切り替えることができる。これにより、ユーザは、食材管理と、冷蔵庫（１０）の状態管理とをリンクしやすくなる。
【００９１】
また、冷蔵庫情報表示部（１００）は、冷蔵庫（１０）に生じた故障を報知する第１の報知部（１２０）と、故障以外の冷蔵庫（１０）の運転状態を報知する第２の報知部（１３０）と、冷蔵庫（１０）におけるドア開閉回数を報知する第３の報知部（１４０）と、を有し、冷蔵庫管理部（３４）は、冷蔵庫情報画面（Ｖ０２〜Ｖ０６）を操作・表示部（２４）に表示させる場合には、第１の報知部（１２０）と、第２の報知部（１３０）とを第３の報知部（１４０）に優先して表示させる。
これにより、重要度の高い情報を、優先的に操作・表示部（２４）に表示させることができる。
【００９２】
また、冷蔵庫（１０）は複数のドアを備えるものであり、ドア開閉回数は、複数のドアの開閉回数を日毎に合計したものであり、第３の報知部（１４０）は、ドア開閉回数が多くなるほど上下方向に長くなる矩形図形を、８日間以上の期間に渡って日毎に配置したヒストグラムを表示するものであり、冷蔵庫管理部（３４）は、各々の矩形図形の上方に、対応するドア開閉回数を数字によって表記させる機能をさらに有する。
８日間以上のヒストグラムを表示することにより、ユーザは、曜日毎の開閉回数の傾向を一見して把握しやすくなる。さらに、複数のドアの開閉回数の合計によってヒストグラムを作成するため、「ドアを開けたか否か」の見守りに関して、より効率的にユーザに情報を伝達することができる。
なお、ヒストグラムとして複数のドアの開閉回数の合計値を表示するのに代えて、開閉されたドアの種類ごとに色分けしたり、線で区切ったりなどして区別して表示してもよい。これによれば、どのドアがよく開閉されているかまで把握できる。
【００９３】
また、食材データは、さらに、ユーザに対してリマインダ通知を行う日または日時を特定するリマインダ情報を含むものであり、食材管理部（３２）は、対応するリマインダ情報に基づいて、対応する食材項目欄（２６２−１〜２６２−５，２６４−１〜２６４−６）に所定のリマインダ画像（６４）を表示させる。
リマインダ画像（６４）が表示されることにより、ユーザは、当該食材データにリマインダ情報が設定されていることを容易に認識できる。
【００９４】
また、食材管理画面（Ｖ３０，Ｖ３２）は、さらに、食材項目列挙表示部（２６０，２６３）の表示モードとして第１の表示モード（リスト・モード）または第２の表示モード（アルバム・モード）を選択する表示モード選択部（２７０）を有するものであり、食材データは、さらに、各々の食材について、ユーザが指定した任意の文字列であるメモデータを含むものであり、食材管理部（３２）は、表示モードとして第１の表示モード（リスト・モード）が選択されると、画像表示部（６１）および経過日数表示部（６５）に加えて、さらに、対応する食材データに含まれるメモデータを表示するメモ表示部（６３）を食材項目欄（２６４−１〜２６４−６）に表示させ、画像表示部（６１）の表示エリアを経過日数表示部（６５）の表示エリアよりも大きくし、経過日数表示部（６５）における文字サイズよりも、メモ表示部（６３）における文字サイズを小さくする機能と、表示モードとして第２の表示モード（アルバム・モード）が選択されると、画像表示部（７１）に対して経過日数表示部（７５）をスーパーインポーズして表示する機能と、をさらに有する。
このように、表示モードとして第１の表示モード（リスト・モード）または第２の表示モード（アルバム・モード）を選択することにより、ユーザに対して、より適切な態様で情報を表示できる。
【００９５】
［第２実施形態］
〈第２実施形態の構成〉
次に、本発明の第２実施形態による冷蔵庫制御システムの構成を説明する。
第２実施形態のハードウエア構成は、第１実施形態のもの（図１参照）と同様であるが、第２実施形態において、各冷蔵庫１０は、ファイルサーバ機能を有するように設定できる。すなわち、ファイルサーバに設定されると、冷蔵庫１０の記憶部１２において記憶領域の一部は、通信部１３を介して、外部の携帯端末２０等から読み書きできるようになる。冷蔵庫１０が複数設けられている場合には、何れか１台の冷蔵庫１０をファイルサーバに設定してもよい。また、ファイルサーバは必ずしも冷蔵庫１０でなくてもよい。例えば、ＷＡＮ５４上の図示せぬサーバ機器をファイルサーバとして適用してもよい。
【００９６】
ファイルサーバは、食材画像データ、その他食材データを蓄積する。複数の携帯端末２０は、ファイルサーバを介して、食材の食材画像データ等を共有できる。また、複数の携帯端末２０は、「マスタ端末」および「スレーブ端末」に分類される。「マスタ端末」は、冷蔵庫の遠隔操作および食材管理ができる。「スレーブ端末」は、冷蔵庫の遠隔操作は許可されていないが、ファイルサーバにアクセスして食材管理ができる。例えば家庭内の「大人ユーザ」の携帯端末を「マスタ端末」とし、「子供ユーザ」の携帯端末を「スレーブ端末」にしてもよい。
【００９７】
〈第２実施形態の動作〉
第２実施形態における携帯端末２０は、第１実施形態のものと同様の機能を有するが、ファイルサーバ（例えば何れかの冷蔵庫１０）にアクセスして食材画像データを取得する機能を備えている。さらに、第２実施形態の携帯端末２０は、以下に述べる各種機能を備えている。
【００９８】
（メモデータ、リマインダ情報の自動取得）
本実施形態においても、図７、図９に示した食材管理画面Ｖ３０，Ｖ３２においてユーザがカメラ起動ボタン２５８をタップすると、第１実施形態と同様にカメラ操作画面Ｖ３６（図１０参照）が操作・表示部２４に表示される。そして、ユーザがシャッターボタン３０４をタップすると、操作・表示部２４には食材データ編集画面Ｖ３４（図９参照）が表示される。上記第１実施形態においては、この場合、メモデータ、リマインダ情報は空白であった。しかし、本実施形態においては、メモデータ、リマインダ情報が自動的に設定される場合がある。
【００９９】
まず、食材画像データには、食品ラベルの画像が含まれている場合がある。本実施形態において、制御部２１は、食品ラベルの画像を文字認識し、食材の品名（例えば「豚バラ肉」）をメモデータに設定する。さらに、食品ラベルの画像には消費期限または賞味期限が含まれている場合がある。本実施形態において、制御部２１は、認識した文字列の中に消費期限または賞味期限を指定するものがあれば、その日時をリマインダ情報に設定する。これにより、ユーザがメモデータやリマインダ情報を入力する手間を大幅に省くことができる。なお、入力されたメモデータやリマインダ情報が不適切である場合には、ユーザが自由に編集できる。
【０１００】
（冷蔵庫の状態履歴に対応した食材データの表示）
上記第１実施形態において、図７、図９に示した食材管理画面Ｖ３０，Ｖ３２および食材データ編集画面Ｖ３４においては、様々な態様で食材データが表示される。しかし、第１実施形態においては、食材データの表示態様は、冷蔵庫１０の状態履歴には特に関連していなかった。本実施形態においては、以下説明するように、制御部２１は、冷蔵庫１０の状態履歴に対応して食材データの表示態様を設定することが一つの特徴になっている。
【０１０１】
冷蔵庫１０においては、食材の品質に影響を与える事象が発生し得る。これは、例えば「冷蔵室、冷凍室等のドアが３分以上開いていた」、「冷蔵室、冷凍室等の温度異常が生じた」、「モータの回転異常、過電流等が生じて冷蔵庫１０が停止した」等の事象である。これらの事象を「注目事象」と呼ぶ。本実施形態においては、各食材データの起点日と現在時刻との間に注目事象が生じた場合には、その旨を警告するように、対応する食材項目欄（図７の２６２−１〜２６２−５、図９の２６４−１〜２６４−６等）の表示態様が設定される。例えば、警告メッセージや警告アイコン等が、対応する食材項目欄に表示される。これにより、ユーザは、冷蔵庫１０の状態履歴に応じて、一層適切な食材管理を行うことができる。
【０１０２】
［変形例］
本発明は上述した実施形態に限定されるものではなく、種々の変形が可能である。上述した実施形態は本発明を理解しやすく説明するために例示したものであり、必ずしも説明した全ての構成を備えるものに限定されるものではない。また、ある実施形態の構成の一部を他の実施形態の構成に置き換えることが可能であり、ある実施形態の構成に他の実施形態の構成を加えることも可能である。また、各実施形態の構成の一部について削除し、もしくは他の構成の追加・置換をすることが可能である。また、図中に示した制御線や情報線は説明上必要と考えられるものを示しており、製品上で必要な全ての制御線や情報線を示しているとは限らない。実際には殆ど全ての構成が相互に接続されていると考えてもよい。上記実施形態に対して可能な変形は、例えば以下のようなものである。
【０１０３】
（１）上記実施形態における携帯端末２０のハードウエアは一般的なコンピュータによって実現できるため、携帯端末２０の機能を実現するプログラム等を記憶媒体に格納し、または伝送路を介して頒布してもよい。
【符号の説明】
【０１０４】
２６４−１〜２６４−６  食材項目欄
１０  冷蔵庫
２０  携帯端末（冷蔵庫用遠隔制御装置、コンピュータ）
２１  制御部
２２  記憶部
２３  通信部
２４  操作・表示部
３２  食材管理部（食材管理過程、食材管理手段）
３４  冷蔵庫管理部（冷蔵庫管理過程、冷蔵庫管理手段）
６１，７１  画像表示部
６３  メモ表示部
６４  ベルアイコン（リマインダ画像）
６５，７５  経過日数表示部
１００  冷蔵庫情報表示部
１２０  表示部（第１の報知部）
１３０  運転サイン部（第２の報知部）
１４０  グラフ表示部（第３の報知部）
１８０  主メニューバー（画面選択部）
１８４  操作パネルボタン（冷蔵庫情報ボタン）
１８６  食材管理ボタン
２６０，２６３  食材項目列挙表示部
２７０  副メニューバー（表示モード選択部）
Ｖ０２〜Ｖ０６  操作・情報画面（冷蔵庫情報画面）
Ｖ３０，Ｖ３２  食材管理画面
【図１】
2020118334.tif 000003
【図２】
2020118334.tif 000004
【図３】
2020118334.tif 000005
【図４】
2020118334.tif 000006
【図５】
2020118334.tif 000007
【図６】
2020118334.tif 000008
【図７】
2020118334.tif 000009
【図８】
2020118334.tif 000010
【図９】
2020118334.tif 000011
【図１０】
2020118334.tif 000012
【図１１】
2020118334.tif 000013